(57)【特許請求の範囲】
【請求項１】
底板部分の幅方向中央部分に長手方向に沿って延設する帯状間隔部分を介在させて、前記底板部分が両側の帯状フランジによって構成されている手摺を、支柱に連結支持させる手摺支持ジョイントにおいて、
前記支柱の上端部に固定されるヒンジ基台と、該ヒンジ基台に回転可能にヒンジ結合される手摺取付け台と、前記手摺の中空内部にスライド可能に配置される座金部材とからなり、
前記手摺取付け台は、ヒンジ結合部を挟んだ両側に手摺固定ボルトの定着孔を有すると共に、前記座金部材は、前記手摺固定ボルトの螺合孔を備えており、
前記定着孔は、前記手摺取付け台の手摺取付け面を前記支柱と垂直に配置した際に前記支柱の軸方向に対して斜めに傾斜する両側の傾斜面に各々形成されて、斜め方向に開口しており、前記座金部材の螺合孔は、前記ボルト定着孔と向い合う斜め方向に開口しており、
前記座金部材は、当該座金部材が設置される前記手摺の軸方向と垂直な方向から見た正面形状が略Ｍ字形状となっており、該略Ｍ字形状の一対の傾斜部に各々配置されて、前記螺合孔が開口形成されており、
且つ前記座金部材は、当該座金部材が設置される前記手摺の軸方向から見た正面形状が、前記手摺の中空内部に収まる形状を有しており、天面部を前記手摺の天板部分の内側面に沿わせて配置すると共に、側面部の下端を、前記手摺の前記帯状フランジの上に載置した状態で、前記手摺の中空内部において軸方向にスライド移動可能に装着される手摺支持ジョイント。
【請求項２】
前記手摺取付け台の上面の前記手摺取付け面は、前記手摺の帯状間隔部分に嵌め込むように配置される上段部と、前記帯状フランジが載置される下段部とによる２段構造を有している請求項１に記載の手摺支持ジョイント。
【請求項３】
前記手摺の前記帯状フランジは、内側に折り重なった折曲げ片を備えており、前記座金部材の側面部の下端は、該折曲げ片の上に載置される請求項１又は２に記載の手摺支持ジョイント。
【請求項４】
前記手摺は、扁平な略矩形の中空枠状の断面形状を有しており、前記座金部材は、前記手摺の軸方向から見た正面形状が、前記手摺の扁平な略矩形断面形状の中空内部に収まる形状を有している請求項１〜３のいずれか１項に記載の手摺支持ジョイント。
【発明の詳細な説明】
【技術分野】
【０００１】
本発明は、手摺を支柱に連結支持させる手摺支持ジョイントに関する。
【背景技術】
【０００２】
手摺は、例えば階段や通路等の側部に沿って取り付けられ、例えば人の移動する領域を区画したり、歩行中に人がつかまりながら歩けるようにするものである。また、手摺は、壁面に取り付けた支持部材を用いて壁面に沿って支持固定されるものの他、所定の間隔をおいて立設配置した支柱に支持させつつ当該支柱の上端部に連結固定することによって形成される手摺も多く採用されており、このような手摺によれば、所望の位置に支柱を設けて手摺の自由な設計を行うことが可能になる（例えば、特許文献１参照）。
【０００３】
また、支柱によって支持される手摺を、例えば階段等の傾斜部分に沿わせて設置する場合、垂直に立設する支柱に対して、傾斜角度を調整しながら斜めに手摺を取り付ける必要があることから、例えばジョイント用の金物を、支柱の上端部に固定されるヒンジ基台と、このヒンジ基台に回転可能にヒンジ結合される手摺取付け台とによって構成し、手摺の傾きに合わせて手摺取付け台を適宜回転させならが、取付け台の取付け面に手摺を載置して固定できるようにしたものも開示されている（例えば、特許文献２参照）。
【特許文献１】特開平８−３０２９４６号公報
【特許文献２】特開２００３−２７６８７号公報
【発明の開示】
【発明が解決しようとする課題】
【０００４】
しかしながら、上記従来の手摺の傾斜角度を調整できるようにしたジョイント用の金物では、略Ｔ字形状の手摺取付け台の張出し部分の下方から、取付け台の取付け面に載置した手摺に向けて、手摺固定ボルトをねじ込んで手摺を固定するものであるため、傾斜した手摺と支柱との角度が鋭角になるヒンジ結合部を挟んだ傾斜方向下方側の部分では、支柱が邪魔になって張出し部分の下方から手摺に向けて手摺固定ボルトをねじ込む作業が困難になり、施工性が悪くなる。また、下方側への張出し部分を長くして、その先端部分で手摺と支柱との間にねじ込み用の相当のスペースを確保することも考えられるが、ヒンジ結合部を挟んだ両側の張出し部の長さが異なることになって体裁が悪くなる。
【０００５】
本発明は、手摺が下方に傾斜して支柱との角度が鋭角になっている場合でも、手摺取付け台の下方から手摺固定ボルトをねじ込んで容易に手摺を固定することができると共に、張出し部を少なくしてコンパクトな形状で手摺と支柱とを連結することのできる手摺支持ジョイントを提供することを目的とする。
【課題を解決するための手段】
【０００６】
本発明は、底板部分の幅方向中央部分に長手方向に沿って延設する帯状間隔部分を介在させて、前記底板部分が両側の帯状フランジによって構成されている手摺を、支柱に連結支持させる手摺支持ジョイントにおいて、前記支柱の上端部に固定されるヒンジ基台と、該ヒンジ基台に回転可能にヒンジ結合される手摺取付け台と、前記手摺の中空内部にスライド可能に配置される座金部材とからなり、前記手摺取付け台は、ヒンジ結合部を挟んだ両側に手摺固定ボルトの定着孔を有すると共に、前記座金部材は、前記手摺固定ボルトの螺合孔を備えており、前記定着孔は、前記手摺取付け台の手摺取付け面を前記支柱と垂直に配置した際に前記支柱の軸方向に対して斜めに傾斜する両側の傾斜面に各々形成されて、斜め方向に開口しており、前記座金部材の螺合孔は、前記ボルト定着孔と向い合う斜め方向に開口しており、前記座金部材は、当該座金部材が設置される前記手摺の軸方向と垂直な方向から見た正面形状が略Ｍ字形状となっており、該略Ｍ字形状の一対の傾斜部に各々配置されて、前記螺合孔が開口形成されており、且つ前記座金部材は、当該座金部材が設置される前記手摺の軸方向から見た正面形状が、前記手摺の中空内部に収まる形状を有しており、天面部を前記手摺の天板部分の内側面に沿わせて配置すると共に、側面部の下端を、前記手摺の前記帯状フランジの上に載置した状態で、前記手摺の中空内部において軸方向にスライド移動可能に装着される手摺支持ジョイントを提供することにより、上記目的を達成したものである。
【０００７】
また、本発明の手摺支持ジョイントによれば、前記傾斜面の前記支柱の軸方向に対して斜めに傾斜する角度は、３０〜６０度であることが好ましい。
【発明の効果】
【０００８】
本発明の手摺支持ジョイントによれば、手摺が下方に傾斜して支柱との角度が鋭角になっている場合でも、手摺取付け台の下方から手摺固定ボルトをねじ込んで容易に手摺を固定することができると共に、張出し部を少なくしてコンパクトな形状で手摺と支柱とを連結することができる。
【発明を実施するための最良の形態】
【０００９】
図１に示す本発明の好ましい一実施形態に係る手摺支持ジョイント１０は、例えば所定の間隔をおいて立設配置した支柱１２の上端部に、好ましくはスチール製の手摺１１を連結支持させて取り付ける際に用いられるものである。また、本実施形態の手摺支持ジョイント１０は、例えば階段等の傾斜部分の傾きに沿わせて手摺１１を取り付ける際に、傾斜した手摺１１と支柱１２との角度が鋭角αになるヒンジ結合部１３を挟んだ傾斜方向下方側の部分においても、手摺取付け台１４の下方から手摺１１に向けて手摺固定ボルト１７をねじ込む作業をスムーズに行えるようにするために採用されたものである。
【００１０】
そして、本実施形態の手摺支持ジョイント１０は、図２及び図３（ａ），（ｂ）にも示すように、  手摺１１を支柱１２に連結支持させるジョイント部材であって、支柱１２の上端部に固定されるヒンジ基台１５と、このヒンジ基台１５に回転可能にヒンジ結合される手摺取付け台１４と、手摺１１の中空内部にスライド可能に配置される座金部材１６とからなり、手摺取付け台１４は、ヒンジ結合部１３を挟んだ両側に手摺固定ボルト１７の定着孔１８を有すると共に、座金部材１６は、手摺固定ボルト１７の螺合孔１９を備えている。また手摺固定ボルト１７の定着孔１８は、手摺取付け台１４の手摺取付け面１４ａを支柱１２と垂直に配置した際に支柱１２の軸方向Ｙに対して斜めに傾斜する両側の傾斜面１４ｂに各々形成されて、斜め方向に開口しており、座金部材１６の螺合孔１９は、ボルト定着孔１８と向い合う斜め方向に開口している。
【００１１】
手摺支持ジョイント１０のヒンジ基台１５は、好ましくはステンレス製の金属成形品であって、図３（ａ），（ｂ）に示すように、例えば矩形の断面形状を備えるステンレス製の支柱１２の上端開口に嵌め込まれる嵌込み部１５ａと、支柱１２の上端開口を覆って取り付けられるキャップ部１５ｂと、キャップ部１５ｂの中央部分から手摺１１の延設方向に沿って立設する略半長円形状のヒンジ壁部１５ｃとからなる。嵌込み部１５ａには、雌ネジ孔１５ｄが形成されていて、この雌ネジ孔１５ｄに支柱１２の外側から固定ネジ２０を螺合締着することにより、手摺支持ジョイント１０が支柱１２の上端部に固定される。また、ヒンジ壁部１５ｃには、ピン孔１５ｅが形成されており、手摺取付け台１４の二股壁部１４ｃを、ヒンジ壁部１５ｃを挟み込むようにして配置した後に、ピンボルト装着孔１４ｂを介して二股壁部１４ｃの外側からピン孔１５ｅに向けてピンボルト２１を取り付けることにより、ヒンジ結合部１３を形成して、ヒンジ壁部１５ｃに手摺取付け台１４が回転可能にヒンジ結合されることになる。
【００１２】
手摺支持ジョイント１０の手摺取付け台１４は、好ましくはステンレス製の金属成形品であって、下端部に配置される頂角部分が湾曲形状に面取りされた、倒立状態の略直角ニ等辺三角形の正面形状を備えている。これによって手摺取付け台１４には、略直角ニ等辺三角形の底辺部分に配置される上面の手摺取付け面１４ａを支柱１２の軸方向Ｙと垂直に配置した際に、略直角ニ等辺三角形の斜辺部分によって、支柱１２の軸方向Ｙに対して４５度の角度θ（図３（ａ参照））で斜めに傾斜する両側の傾斜面１４ｂが各々形成されることになる。
【００１３】
なお、傾斜面１４ｂの支柱１２の軸方向Ｙに対して斜めに傾斜する角度θは、３０〜６０度とすることが好ましく、４５〜６０度とすることがさらに好ましい。傾斜角度θが６０度を越えると、手摺１１が下方に３０度を越えて傾斜した場合に、支柱１２が邪魔になって手摺固定ボルト１７を固定し難くなるという欠点が生じることになり、３０度よりも小さいと、座金部材１６に手摺固定ボルト１７を固定し難くなるという欠点が生じることになる。また傾斜角度θを３０〜４５度とすることにより、手摺取付け台１４をコンパクトな形状にすることができるという利点が得られることになる。
【００１４】
本実施形態では、手摺取付け台１４は、下端の頂角部分を中心とした、上面の手摺取付け面１４ａに略内接する略４半円の部分が、厚さ方向の中央部分をえぐるようにして切り欠いた二股壁部１４ｃとなっている。二股壁部１４ｃには、ピンボルト装着孔１４ｄが開口形成されており、二股壁部１４ｃの中央の切欠き部分に、ヒンジ基台１５のヒンジ壁部１５ｃを挿入配置して、ピンボルト装着孔１４ｄとピン孔１５ｅとを位置合わせした後に、ピンボルト２１をピンボルト装着孔１４ｄからピン孔１５ｅに向けて取り付けることによりヒンジ結合部１３を形成して、手摺取付け台１４をヒンジ基台１５に回転可能にヒンジ結合する。
【００１５】
また、本実施形態では、二股壁部１４ａよりも上方に位置する傾斜面１４ｂには、当該傾斜面１４ｂから手摺取付け面１４ａに向かって、当該傾斜面１４ｂと垂直な方向に、手摺固定ボルト１７の定着孔１８が各々貫通形成されている。さらに、本実施形態では、手摺１１は、図２に示すように、扁平な略矩形の中空枠状の断面形状を有すると共に、手摺１１の底板部分１１ａは、幅方向中央部分に長手方向に沿って延設する帯状間隔部分１１ｂを介在させて、両側の帯状フランジ１１ｃによって構成されている。そして、手摺取付け台１４の上面の手摺取付け面１４ａは、両側の帯状フランジ１１ｃの間の帯状間隔部分１１ｂに嵌め込むように配置される上段部と、折曲げ片１１ｄが内側に折り重なった帯状フランジ１１ｃが載置される下段部とによる２段構造を有している。
【００１６】
手摺支持ジョイント１０の座金部材１６は、好ましくはステンレスプレートに切断加工や折曲げ加工等を施して形成される金属成形品であって、図４（ａ）〜（ｃ）に示すように、当該座金部材１６が設置される手摺１１の軸方向Ｘ（図２参照）と垂直な方向から見た正面形状が扁平な略Ｍ字形状となっている。また、手摺１１の軸方向Ｘと垂直な幅方向の中央部分には、略Ｍ字形状の一対の傾斜部１６ａに各々配置されて、内周面に雌ネジ突条が形成された螺合孔１９が開口形成されている。本実勢形態では、略Ｍ字形状の一対の傾斜部１６ａは、天面部１６ｂに対して４５度の傾斜角度θ’で設けられていることにより、螺合孔１９は斜めに開口する。これによって螺合孔１９は、座金部材１６を手摺１１の中空内部でスライド移動させて手摺取付け台１４と位置合わせした際に、４５度の傾斜角度で斜め方向に開口する手摺取付け台１４の定着孔１８と、向い合って配置されることになる。
【００１７】
また座金部材１６は、手摺１１の軸方向Ｘから見た正面形状が、扁平な略矩形断面形状の手摺１１の中空内部に収まる形状を有している。図３（ｂ）に示すように、座金部材１６の天面部１６ｂを手摺１１の天板部分１１ｅの内側面に沿わせて配置すると共に、座金部材１６の側面部１６ｃの下端を、手摺１１の帯状フランジ１１ｃに折り重ねた折曲げ片１１ｄの上に載置した状態で、座金部材１６が手摺１１の中空内部において軸方向Ｘにスライド移動可能に装着される。略Ｍ字形状の一対の傾斜部１６ａの下部は、螺合孔１９が開口形成された幅方向中央部分を除いて、その両側部分が、側面部１６ｃの下端よりも高い位置まで下端切欠き部１６ｄとして切り欠かれている（図４（ｂ），（ｃ）参照）。これによって、傾斜部１６ａの幅方向中央部分の下端部を手摺１１の帯状間隔部分１１ｂに挿入し、このような挿入状態によって手摺１１の軸方向Ｘへのスライド移動をガイドさせながら、手摺１１の中空内部に座金部材１６を装着することが可能になる。
【００１８】
上述の構成を有するヒンジ基台１５と、手摺取付け台１４と、座金部材１６とからなる本実施形態の手摺支持ジョイント１０では、支柱１２によって支持された手摺取付け台１４の上に手摺１１を設置した後に、手摺１１の中空内部を介して、ヒンジ基台１５及び手摺取付け台１４が取り付けられた支柱１２まで座金部材１６を移動させ、移動させた座金部材１６を手摺取付け台１４と位置合わせする。位置合わせによって合致した定着孔１８と螺合孔１９に向けて、手摺取付け台１４の傾斜面１４ｂの外側から手摺固定ボルト１７を挿入し、ボルトの先端を螺合孔１９に螺合すると共に、ボルトの頭部を定着孔１８が開口する傾斜面１４ｂに定着させることにより、手摺１１を支柱１２に容易且つスムーズに固定する。
【００１９】
そして、本実施形態の手摺支持ジョイント１０によれば、図１に示すように、手摺１１が下方に傾斜して支柱１２との角度αが鋭角になっている場合でも、手摺取付け台１４の下方から手摺固定ボルト１７をねじ込んで容易に手摺１１を固定することができると共に、張出し部を少なくしてコンパクトな形状で手摺１１と支柱１２とを連結することができる。
【００２０】
ずなわち、本実施形態によれば、手摺固定ボルト１７のボルト定着孔１８は、手摺取付け台１４の手摺取付け面１４ａを支柱１２と垂直に配置した際に支柱１２の軸方向Ｙに対して斜めに傾斜する両側の傾斜面１４ｂに各々形成されて、斜め方向に開口しており、座金部材１６の螺合孔１９は、ボルト定着孔１８と向い合う斜め方向に開口しているので、手摺１１と支柱１２との角度αが鋭角になっている場合でも、傾斜面１４ｂによってボルト定着孔１８の下方に手摺固定ボルト１７を取り付けるための相当の作業空間を確保することが可能になり、これによって容易且つスムーズに手摺１１を支柱１２に連結固定する作業を行うことが可能になる。
【００２１】
また、本実施形態では、手摺固定ボルト１７のボルト定着孔１８は、手摺取付け台１４の傾斜面１４ｂにおいて斜め方向に開口しており、この傾斜面１４ｂによって、ボルト定着孔１８を設けるための張出し部のヒンジ結合部１３からの張出し長さを少なくすることができるので、コンパクトな形状で手摺１１と支柱１２とを連結することが可能になる。さらに、手摺取付け台１４は左右対称の形状となっているので、手摺１１が左右のいずれに傾斜している場合であっても、支柱１２と手摺１１とのなす角度が鋭角或いは鈍角となった支柱１２の両側の部分で、手摺固定ボルト１７を容易に固定することが可能になる。
【００２２】
なお、本発明は上記実施形態に限定されることなく種々の変更が可能である。例えば、本発明の手摺支持ジョイントは、ステンレス以外のその他の金属材料を用いて形成することもでき、金属材料に限定されることなく樹脂成形品等として形成することもできる。また手摺や支柱は、四角形断面の他、円形断面等、その他の種々の断面形状を備える手摺や支柱であっても良い。
【図面の簡単な説明】
【００２３】
【図１】本実施形態の好ましい一実施形態に係る手摺支持ジョイントを用いて支柱に連結支持させた手摺を例示する正面図である。
【図２】本実施形態の好ましい一実施形態に係る手摺支持ジョイントの構成を説明する分解斜視図である。
【図３】（ａ）は本実施形態の好ましい一実施形態に係る手摺支持ジョイントを用いた手摺と支柱の連結部分の拡大正面図、（ｂ）は（ａ）のＡ−Ａに沿った断面図である。
【図４】（ａ）は座金部材を手摺の軸方向と垂直な方向から見た正面図、（ｂ）は座金部材の平面図、（ｃ）は座金部材を手摺の軸方向から見た正面図である。
【符号の説明】
【００２４】
１０  手摺支持ジョイント
１１  手摺
１１ａ  底板部分
１１ｂ  帯状間隔部分
１１ｃ  帯状フランジ
１１ｄ  折曲げ片
１２  支柱
１３  ヒンジ結合部
１４  手摺取付け台
１４ａ  手摺取付け面
１４ｂ  傾斜面
１５  ヒンジ基台
１６  座金部材
１６ａ  傾斜部
１６ｂ  天面部
１６ｃ  側面部
１６ｄ  下部切欠き部分
１７  手摺固定ボルト
１８  定着孔
１９  螺合孔
２０  固定ネジ
２１  ピンボルト
Ｘ    手摺の軸方向
Ｙ    支柱の軸方向
【図１】
0004801970.tif 000002
【図２】
0004801970.tif 000003
【図３】
0004801970.tif 000004
【図４】
0004801970.tif 000005